(57)【要約】【課題】電波干渉による問題がある使用環境においても、Ｂｌｕｅｔｏｏｔｈを用いて音声等の等時性通信を可能にする方法を提供する。【解決手段】Ｂｌｕｅｔｏｏｔｈを用いて音声情報などの時系列情報の等時性通信を行なうであっても、通信には、ＡＣＬ（Ａｓｙｎｃｒｏｎｏｕｓ  Ｃｏｎｎｅｃｔｉｏｎ  Ｌｅｓｓ）リンクを用いる。そして、ＤＭ３パケットなどの所定のパケットタイプのパケットを用いる。また、所定情報量ごとの時系列情報を、当該所定情報量とパケット再送継続時間とを考慮した所定の送信間隔で、送信を実行する。【選択図】        図４
2004274292.tif 000002
【特許請求の範囲】
【請求項１】
Ｂｌｕｅｔｏｏｔｈを用いて音声情報などの時系列情報の等時性通信を行なう方法であって、
前記通信には、ＡＣＬ（Ａｓｙｎｃｒｏｎｏｕｓ  Ｃｏｎｎｅｃｔｉｏｎ  Ｌｅｓｓ）リンクの、所定のパケットタイプのパケットを用いると共に、
前記所定情報量ごとの前記時系列情報を、前記所定情報量とパケット再送継続時間とを考慮した所定の送信間隔で、送信を実行する
ことを特徴とする情報通信方法。
【請求項２】
請求項１に記載の情報通信方法において、
前記所定のパケットタイプとして、ＤＭ３（Ｄａｔａ  Ｍｅｄｉｕｍ  ３）タイプまたはＤＨ３（Ｄａｔａ  Ｈｉｇｈ  ３）タイプを用いると共に、再送可能回数が２回以上となるように、前記時系列情報の前記所定情報量および前記送信間隔が決定されてなる
ことを特徴とする情報通信方法。
【請求項３】
請求項１に記載の情報通信方法において、
パケットエラー発生時に、前記再送継続時間以内に再送が終了しない場合には、パケットの再送を止めて、次のパケットの送信を開始するようにする
ことを特徴とする情報通信方法。
【請求項４】
音声情報などの時系列情報の所定情報量を、送信のために一時蓄積する送信バッファと、
前記送信バッファからの前記所定情報量の時系列情報ごとに、ＢｌｕｅｔｏｏｔｈのＡＣＬ（Ａｓｙｎｃｒｏｎｏｕｓ  Ｃｏｎｎｅｃｔｉｏｎ  Ｌｅｓｓ）リンクの、所定のパケットタイプのパケットを生成して無線回線に送出すると共に、無線回線を通じて送信されてくるパケットを受信するＢｌｕｅｔｏｏｔｈ用の無線モジュールと、
前記無線モジュールで受信されたパケットに含まれる前記所定情報量の時系列情報を受け取って、再生のために一時蓄積するための受信バッファと、
を備え、
前記無線モジュールは、前記所定情報量ごとの前記時系列情報を、前記所定情報量とパケット再送継続時間とを考慮した所定の送信間隔で送信する
ことを特徴とする情報通信装置。
【請求項５】
請求項４に記載の情報通信装置において、
前記所定のパケットタイプとして、ＤＭ３（Ｄａｔａ  Ｍｅｄｉｕｍ  ３）タイプまたはＤＨ３（Ｄａｔａ  Ｈｉｇｈ  ３）タイプを用いると共に、再送可能回数が２回以上となるように、前記時系列情報の前記所定情報量および前記送信間隔が決定されている
ことを特徴とする情報通信装置。
【請求項６】
請求項４に記載の情報通信装置において、
前記制御手段は、パケットエラー発生時に、前記再送継続時間以内に再送が終了しない場合には、パケットの再送を止めて、次のパケットの送信を開始するように制御する
ことを特徴とする情報通信装置。
【発明の詳細な説明】
【０００１】
【発明の属する技術分野】
この発明は、例えばコードレス電話の親機と子機間の音声通話に適用して好適な情報通信方法およびこの方法を用いる情報通信装置に関する。
【０００２】
【従来の技術】
例えば、１０〜１００メートル程度の近距離無線通信のインターフェース仕様として、Ｂｌｕｅｔｏｏｔｈが良く知られている。そして、このＢｌｕｅｔｏｏｔｈの技術を用いて音声情報や画像情報などの時系列情報を伝送することが、例えば特許文献１（特開２００２−１０１１０４号公報）、特許文献２（特開２００２−１１２１３５号公報）、特許文献３（特開２００１−２０３９９７号公報）などに記載されている。
【０００３】
【特許文献１】
特開２００２−１０１１０４号公報
【０００４】
【特許文献２】
特開２００２−１１２１３５号公報
【０００５】
【特許文献３】
特開２００１−２０３９９７号公報
【０００６】
【発明が解決しようとする課題】
ところで、音声情報や動画像情報等をリアルタイムで、等時性通信を行なおうとする場合には、Ｂｌｕｅｔｏｏｔｈにおいては、等時性通信専用のＳＣＯ（Ｓｙｎｃｒｏｎｏｕｓ  Ｃｏｎｎｅｃｔｉｏｎ  Ｏｒｉｅｎｔｅｄ）リンクが用いられるのが一般的である。
【０００７】
このＳＣＯリンクは、同一周期で、同一サイズのパケットを送信することにより、通信を行なうものであり、また、等時性優先のため、パケットエラーが発生しても、再送制御は行なわない方式である。
【０００８】
したがって、例えばコードレス電話における親機と子機との間の通信にＢｌｕｅｔｏｏｔｈを用いようとする場合にも、一般的には、当該等時性通信専用のＳＣＯリンクを用いることが考えられる。しかしながら、以下のような電波干渉の問題がある。
【０００９】
すなわち、Ｂｌｕｅｔｏｏｔｈの利用周波数帯域は、２．４ＧＨｚ帯（２．４００〜２．４８３５ＧＨｚ）であり、電子レンジからの放射電磁波の帯域や、パーソナルコンピュータの無線ＬＡＮ（Ｌｏｃａｌ  Ａｒｅａ  Ｎｅｔｗｏｒｋ）の利用周波数帯域、携帯電話の利用周波数帯域などと重なっており、それらとの間の電波干渉が発生する。
【００１０】
また、Ｂｌｕｅｔｏｏｔｈは、上述の特許文献１〜３にも示したように、種々の機器間の近距離無線通信に利用される可能性があるために、他のＢｌｕｅｔｏｏｔｈ利用機器との間での電波干渉の問題もある。
【００１１】
例えば、電波干渉源が無線ＬＡＮ（Ｌｏｃａｌ  Ａｒｅａ  Ｎｅｔｗｏｒｋ）であった場合の電波干渉の様子を図７に示す。すなわち、無線ＬＡＮは、スペクトラム拡散方式のため、約２０ＭＨｚの帯域に拡散して送信される。一方、Ｂｌｕｅｔｏｏｔｈでは、２．４ＧＨｚ帯において７９チャネル（２．４０２〜２．４８０ＧＨｚ）の無線チャネルが使用可能とされているので、無線ＬＡＮによる干渉波の帯域は、Ｂｌｕｅｔｏｏｔｈの無線チャネルの２０チャネル分の帯域に相当し、このため、無線ＬＡＮによる干渉波は、Ｂｌｕｅｔｏｏｔｈの無線チャネルとは、約１／４の確率で衝突する。
【００１２】
また、他のＢｌｕｅｔｏｏｔｈ利用機器が電波干渉源となる場合には、図８に示すように、１／７９の確率で、干渉波がＢｌｕｅｔｏｏｔｈの無線チャネルと衝突することになる。
【００１３】
このような電波干渉により、干渉波とＢｌｕｅｔｏｏｔｈの無線チャネルの衝突があると、送信パケットにエラーが発生し、それが訂正不能のエラーであれば、当該パケットが欠落してしまうことになる。エラーとなったパケットが再送制御されれば、欠落パケットが少なくなり、電波干渉による影響が軽減されることになるが、前述したように、ＢｌｕｅｔｏｏｔｈのＳＣＯリンクにおいては、等時性優先のためにエラー発生時のパケットの再送制御は行なわない仕様となっている。
【００１４】
このため、コードレス電話における親機と子機との間の通信にＢｌｕｅｔｏｏｔｈを用いようとしても、電波干渉の問題による音声品質の確保が困難なため、従来は、コードレス電話においては、Ｂｌｕｅｔｏｏｔｈを利用することが困難であった。
【００１５】
例えば、図９に示すように、２台のＢｌｕｅｔｏｏｔｈ通信機器１Ａ，１Ｂを３メートル離して配置した状態において、無線ＬＡＮや他のＢｌｕｅｔｏｏｔｈ機器によるノイズ発生距離Ｌｎを測定したところ、他のＢｌｕｅｔｏｏｔｈ機器が電波干渉源のときには、距離Ｌｎ＝３メートルのときに、図９に示すように、電波干渉源に近い方のＢｌｕｅｔｏｏｔｈ通信機器１Ｂにノイズ発生が観測された。
【００１６】
また、無線ＬＡＮが電波干渉源のときには、距離Ｌｎ＝６メートルのときに、図９に示すように、電波干渉源に近い方のＢｌｕｅｔｏｏｔｈ通信機器１Ｂにノイズ発生が観測された。
【００１７】
なお、ここで、信号波と干渉波との受信レベルが同一となったときに、ノイズ発生とした。
【００１８】
また、Ｂｌｕｅｔｏｏｔｈモジュールの電波干渉に対する耐力は、規格によると、図１０に示すようなものとなる。すなわち、規格上は、ＢＥＲ（Ｂｉｔ  Ｅｒｒｏｒ  Ｒａｔｅ）が０．１％以下になることを補償する干渉波とのレベル差は、干渉波が同一周波数の場合には、
コチャネル干渉、Ｃ／Ｉコチャネル＝１１ｄＢ
まで、また、干渉波が隣接±１ＭＨｚの場合には、
隣接（１ＭＨｚ）干渉、Ｃ／Ｉ  １ＭＨｚ＝０ｄＢ
まで、また、干渉波が隣接±２ＭＨｚの場合には、
隣接（２ＭＨｚ）干渉、Ｃ／Ｉ  ２ＭＨｚ＝−３０ｄＢ
まで、許されている。
【００１９】
以上のことから、Ｂｌｕｅｔｏｏｔｈを用いてコードレス電話における親機と子機との間の通信を、ＳＣＯリンクを用いて行なうことは、通話品質の点で実現が困難であった。
【００２０】
この発明は、以上のような電波干渉による問題がある使用環境においても、Ｂｌｕｅｔｏｏｔｈを用いて音声等の等時性通信を可能にする方法および装置を提供することを目的とする。
【００２１】
【課題を解決するための手段】
上記の課題を解決するために、請求項１の発明は、
Ｂｌｕｅｔｏｏｔｈを用いて音声情報などの時系列情報の等時性通信を行なう方法であって、
前記通信には、ＡＣＬ（Ａｓｙｎｃｒｏｎｏｕｓ  Ｃｏｎｎｅｃｔｉｏｎ  Ｌｅｓｓ）リンクの、所定のパケットタイプのパケットを用いると共に、
前記所定情報量ごとの前記時系列情報を、前記所定情報量とパケット再送継続時間とを考慮した所定の送信間隔で、送信を実行する
ことを特徴とする。
【００２２】
また、請求項２の発明においては、請求項１の情報通信方法において、
前記所定のパケットタイプとして、ＤＭ３（Ｄａｔａ  Ｍｅｄｉｕｍ  ３）タイプまたはＤＨ３（Ｄａｔａ  Ｈｉｇｈ  ３）タイプを用いると共に、再送可能回数が２回以上となるように、前記時系列情報の前記所定情報量および前記送信間隔が決定されてなる
ことを特徴とする。
【００２３】
また、請求項３の発明においては、請求項１に記載の情報通信方法において、パケットエラー発生時に、前記再送継続時間以内に再送が終了しない場合には、次のパケットの送信を開始するようにする
ことを特徴とする。
【００２４】
【作用】
Ｂｌｕｅｔｏｏｔｈの物理リンクとして定義されているものには、ＳＣＯリンク以外に、ＡＣＬ（Ａｓｙｎｃｒｏｎｏｕｓ  Ｃｏｎｎｅｃｔｉｏｎ  Ｌｅｓｓ）リンクがある。
【００２５】
このＡＣＬリンクは、パケット交換型の接続を行なうためのもので、非同期で可変サイズのパケットを送信することが可能であり、伝送されるデータは、ユーザ・データか、制御データとされる。そして、ＡＬＣリンクでは、送信エラー時には、再送制御が行なわれる。
【００２６】
すなわち、ＡＣＬパケットには、ＣＲＣ（Ｃｙｃｌｉｃ  Ｒｅｄｕｎｄａｎｃｙ  Ｃｈｅｃｋ）コードが一部パケットを除き含まれており、受信側は、このＣＲＣコードによるエラー検出を行ない、エラーを検出しないときには、適切なアクノリッジを返すように定められている。送信側は、受信側からこのアクノリッジを受け取らないときには、ＡＣＬパケットを別のチャネルにより再送する。
【００２７】
上述の構成の請求項１の発明においては、音声情報等の時系列情報の等時性通信であっても、Ｂｌｕｅｔｏｏｔｈの上述のＡＣＬリンクを用いる。そして、送信間隔は、送信単位となる時系列情報の所定情報量と、パケット再送継続時間とを考慮した所定の時間間隔とされる。
【００２８】
したがって、請求項１の発明によれば、電波干渉により、送信パケットにエラーが発生しても、パケット再送が可能となり、実用に耐える通信品質を確保することが可能になる。
【００２９】
請求項２の発明の場合には、特に、ＡＣＬリンクのＤＭ３（Ｄａｔａ  Ｍｅｄｉｕｍ  ３）タイプまたはＤＨ３（Ｄａｔａ  Ｈｉｇｈ  ３）タイプが用いられると共に、再送可能回数が２回以上となるように、時系列情報の所定情報量および送信間隔が決定されている。したがって、後述もするように、実用上、十分な伝送品質を確保することができる。
【００３０】
請求項３の発明においては、パケット再送継続時間以内に再送が終了しないときには、次のパケットの送信を開始するようにしているので、等時性を確保することができる。
【００３１】
【発明の実施の形態】
以下、この発明による情報通信方法および当該方法が用いられた情報通信装置の実施形態を、図を参照しながら説明する。以下に説明する実施形態は、コードレス電話に、この発明を適用した場合である。
【００３２】
図２は、コードレス電話システムの概要を示す図で、電話網３０に接続される親機１０と、この親機１０に対してＢｌｕｅｔｏｏｔｈを用いた無線チャネルによって接続される子機２０とから構成される。子機２０は、複数台が親機１０に対して設けることが可能である。
【００３３】
コードレス電話システムの態様としては、図２（Ａ）に示すように、親機１０に対してカールコード１２によりハンドセット１１が接続されて、ハンドセット１１が親機１０に専用に設けられているタイプのものと、図２（Ｂ）に示すように、無線チャネルにより親機１０と接続される子機２０が、親機１０のハンドセットのように、親機１０のハンドセット載置部１３に置くことが可能なタイプのものとがある。図２（Ｂ）のタイプの場合には、ハンドセット載置部１３に子機２０を置くと、当該子機２０に対する充電がなされるように親機１０が構成されるものが多い。
【００３４】
この発明が適用されるコードレス電話システムは、図２（Ａ），（Ｂ）のいずれのタイプのものであってもよい。
【００３５】
図１は、子機２０の構成例を示すブロックである。なお、親機１０の構成は、Ｂｌｕｅｔｏｏｔｈ通信により送受する音声情報が、電話網からの音声および電話網へ送る音声である点が、子機２０と異なるだけで、音声情報についてのＢｌｕｅｔｏｏｔｈ通信の部分については、同一であるので、その構成の説明は省略する。
【００３６】
図１において、送話音声を収音するマイクロホン２０１からの音声信号は、アンプ２０２を通じてＡ／Ｄ変換器２０３に供給されて、デジタル音声信号に変換された後、コーデック部２０４に供給されて、送信信号とするための符号化処理がなされる。
【００３７】
また、コーデック部２０４で、復号処理がなされて得られた相手側からのデジタル音声信号は、Ｄ／Ａ変換器２０５に供給されてアナログ音声信号に戻され、アンプ２０６を通じてスピーカ２０７に供給されて、音響再生される。コーデック部２０４は、音声データ処理部２１０に接続されている。
【００３８】
音声データ処理部２１０は、Ｂｌｕｅｔｏｏｔｈ用の無線モジュール２２０と、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）により接続されている。
【００３９】
音声データ処理部２１０においては、コーデック部２０４からの送信デジタル音声信号は、シリアル−パラレル変換部２１１でパラレルデータに変換されて、送信バッファ２１２に取り込まれる。送信バッファ２１２では、デジタル音声信号を、予め定められたデータ量ごとに、パケット組立部２１３に送る。この例では、送信バッファ２１２は、デジタル音声信号を１２０バイト（音声信号を６４ｋｂｐｓのＰＣＭ符号則により符号化した場合。以下同じ）、蓄積するごとに、当該１２０バイトのデジタル音声信号をパケット組立部２１３に送出するようにする。
【００４０】
パケット組立部２１３では、受け取った１２０バイトのデジタル音声信号に５バイトのヘッダを付加して音声データパケットを生成する。パケット組立部２１３からの音声データパケットは、パレラル−シリアル変換部２１４によりシリアルデータに変換され、Ｂｌｕｅｔｏｏｔｈ用の無線モジュール２２０に送られる。
【００４１】
また、音声データ処理部２１０においては、無線モジュール２２０から受け取ったシリアルデータは、シリアル−パラレル変換部２１５でパラレルデータに変換されて、パケット分解部２１６に供給されて、パケット分解された後、受信バッファ２１７に供給される。そして、受信バッファ２１７から順次にデジタル音声信号が、等時性を保持して、連続して再生されるように出力される。
【００４２】
すなわち、この例では、受信データが、１２０バイト蓄積されると、受信バッファ２１７からデジタル音声信号が出力されて、再生に供されるようにされる。なお、この例では、受信バッファ２１７は、例えば１Ｋバイトの受信データを蓄積可能な容量とされている。
【００４３】
受信バッファ２１７からのデジタル音声信号は、パラレル−シリアル変換部２１８によりシリアルデータに変換された後、コーデック部２０４に供給されて、復号処理される。そして、コーデック部２０４は、復号処理したデジタル音声信号を、前述したようにＤ／Ａ変換器２０５に出力する。
【００４４】
この例では、音声データ処理部２１０は、例えばＦＰＧＡ（Ｆｉｅｌｄ  Ｐｒｏｇｒａｍｍａｂｌｅ  Ｇａｔｅ  Ａｒｒａｙ）が用いられて構成される。しかし、この音声データ処理部２１０は、ソフトウエア処理によっても実現可能である。
【００４５】
この例の無線モジュール２２０は、Ｂｌｕｅｔｏｏｔｈ通信のためのベースバンド信号処理部と、ＲＦ信号処理部とを含んでいる。ベースバンド信号処理部では、他の機器との無線リンクを張るためのリンクコントローラの処理と、リンクを張った後の管理をするリンクマネージャーの処理とをする。これらの処理には、ＳＣＯリンクと、ＡＣＬリンクのどちらか一方の物理リンクを用いて通信を行なうようにする処理、通信に利用するパケットの組立と分解の処理、受信データに誤りがあれば、送信側に再送を要求し、また、再送の要求を受けたときには、エラーとなったチャネルとは別のチャネルを用いてデータの再送をする処理、などが含まれる。
【００４６】
また、無線モジュール２２０のＲＦ信号処理部では、７９チャネルのうちの一つの無線チャネルを選択して、ベースバンド信号処理部から受け取ったパケット化データを送信し、また、７９チャネルのうちの一つの無線チャネルで受信したパケット化データを、ベースバンド信号処理部に渡す処理を行なう。
【００４７】
コーデック部２０４、パケット処理部２１０および無線モジュール２２０は、制御部２３０により制御される。
【００４８】
そして、この実施形態においては、無線モジュール２２０においては、音声データ処理部２１０からのデジタル音声信号の通信は、物理リンクとしてＡＣＬリンクを用いるように構成されている。
【００４９】
そして、この例では、音声データ処理部２１０からのデジタル音声データは、ＡＣＬリンクにおけるパケットタイプとして、ＤＭ３パケットを用いるように構成されている。無線モジュール２２０では、音声データ処理部２１０からのデジタル音声信号を受け取ると、当該デジタル音声信号をＤＭ３パケットのユーザデータ（ペイロード）として含めるようにする。
【００５０】
ＤＭ３パケットのペイロードは、２バイトのペイロードヘッダを含んで、１２３バイトであるので、前述した１２０バイト毎のデジタル音声信号をＤＭ３パケットの一つに含めることができる。なお、ＤＭ３パケットのペイロードには、１６ビットのＣＲＣコードが付加されて、伝送エラーが発生したかどうかの検査用とされている。
【００５１】
以上のように無線モジュール２２０が構成される結果、音声データの送信は、図３に示すような状態でなされる。
【００５２】
すなわち、この実施形態では、前述したように、音声データ処理部２１０では、送信する音声データのバッファリングサイズは、１２０バイトとされ、音声データ処理部２１０からは、この例では、１５ミリ秒（１２０バイトの音声データをアナログ音声信号に戻したときの時間期間に相当）ごとに、音声パケットデータが無線モジュール２２０に送られる。
【００５３】
このため、図３（Ａ）および（Ｂ）に示すように、音声データの送信間隔Ｔｐは、１５ミリ秒となる。これは、Ｂｌｕｅｔｏｏｔｈの規格の１タイムスロット期間が６２５μ秒であるので、２４タイムスロット分となる。そして、利用パケットは、ＤＭ３パケットであって、１２０バイトの音声データを含むので、約３タイムスロット分の期間を占める。そこで、スレーブ機器側からの音声パケットデータの受信を考慮すると、２４−６＝１８タイムスロット分の期間を再送継続期間ＲＴＹとすることができる。
【００５４】
今、マスター側からの送信データと、スレーブ側からの送信データの双方が、電波干渉のためにエラーとなった場合を考えると、図３（Ａ）に示すように、マスター側およびスレーブ側の双方で、それぞれ３回の再送が可能になる。
【００５５】
また、マスター側からの送信データと、スレーブ側からの送信データの一方が、電波干渉のためにエラーとなった場合を考えると、図３（Ｂ）に示すように、そのエラーによる再送は、４回まで可能となる。
【００５６】
しかし、図３に示したような再送継続期間ＲＴＹにおいて、再送を行なっても、正しい音声データが受信側に伝送されない場合もある。その場合には、ＡＣＬリンクの通常の使用態様においては、再送を続けることになるが、この実施形態では、再送継続期間ＲＴＹ内でのみ再送を行なうようにし、もしも、再送継続期間ＲＴＹ内で正しい音声データが受信側に伝送されない場合には再送を止めて、次の送信パケットを送信するように構成する。これにより、音声データの通信時の等時性を確保するようにする。
【００５７】
次に、この実施形態において、音声データについての送信単位情報量と、パケットタイプを上述のように決定した理由および効果について説明する。
【００５８】
ＡＣＬリンクにおいて、再送制御有りのパケットタイプは、図４の表に示すように、６種類である。この場合に、各パケットには、非対称型もあるが、この実施形態では、音声通話に用いるものであるので、この実施形態では、対称型のみを利用する。
【００５９】
図４において、ＤＭ１パケット、ＤＭ３パケット、ＤＭ５パケットのＤＭは、データ・ミディアム（Ｄａｔａ−Ｍｅｄｉｕｍ）レートを示している。そして、ＤＭ１パケットのペイロードは、最大１８バイト（１バイトのペイロードヘッダを含む）の情報と１６ビットのＣＲＣコードからなり、ＤＭ１パケットは、最大で１タイムスロットを占める。
【００６０】
ＤＭ３パケットは、ＤＭ１パケットに拡張ペイロードが付加されたもので、最大で３タイムスロットを占める。そして、ＤＭ３パケットのペイロードは、最大１２３バイト（２バイトのペイロードヘッダを含む）の情報と１６ビットのＣＲＣコードからなる。
【００６１】
ＤＭ５パケットは、ＤＭ１パケットに拡張ペイロードが付加されたもので、最大で５タイムスロットを占める。そして、ＤＭ５パケットのペイロードは、最大２２６バイト（２バイトのペイロードヘッダを含む）の情報と１６ビットのＣＲＣコードからなる。
【００６２】
また、ＤＨ１パケット、ＤＨ３パケット、ＤＨ５パケットのＤＨは、データ・ハイ（Ｄａｔａ−Ｈｉｇｈ）レートを示している。そして、ＤＨ１パケット、ＤＨ３パケット、ＤＨ５パケットは、ペイロード情報に誤り訂正符号が付加されないことを除けば、ＤＭ１パケット、ＤＭ３パケット、ＤＭ５パケットとほぼ同様である。
【００６３】
そして、この図４に示した各パケットタイプのパケットの主要なものについて、電波干渉波に対するエラー耐力を算出した結果を示すと、図５の表に示すようなものとなる。ここで、ＤＭ５パケット、ＤＨ５パケットは、パケットサイズが大きく、音声信号についての遅延が大きくなってしまうので、この例では、使用しないこととした。なお、この図５の表においては、最悪値を考慮して、電波干渉源が他のＢｌｕｅｔｏｏｔｈ機器の場合には、干渉波により３チャネルがつぶされ、電波干渉源が無線ＬＡＮの場合には、干渉波により２０チャネルがつぶされると仮定した。
【００６４】
図５の表において、例えば、ＤＨ１パケットの場合について、電波干渉源が他のＢｌｕｅｔｏｏｔｈ機器の場合に、干渉波により再送が間に合わなくなる確率（最悪値）は、
（３／７９）２・（１／２．５ｍｓ）＝１／１．７３ｓｅｃ
として求められる。
【００６５】
同様にして、図５の表の各場合について、干渉波により再送が間に合わなくなる確率（最悪値）が求められる。
【００６６】
この図５の表から、この実施形態のように、音声のバッファリングサイズを１２０バイト（１５ミリ秒）とし、使用パケットをＤＭ３として、再送可能回数を３回とすることが実用上、好ましいことが分かる。
【００６７】
この実施形態の場合の実使用上での評価は、次のようなものとなった。すなわち、図９に示したように、２台のＢｌｕｅｔｏｏｔｈ機器１Ａ，１Ｂを３メートル離して配置し、干渉波の発生源までの距離をＬｎとした場合において、２台のＢｌｕｅｔｏｏｔｈ機器１Ａ，１Ｂに、上述した実施形態の情報通信方法を採用したときに、ノイズがＢｌｕｅｔｏｏｔｈ機器１Ｂに発生する距離Ｌｎを測定した。
【００６８】
すると、電波干渉源が、他のＢｌｕｅｔｏｏｔｈ機器の場合には、Ｌｎ＝０．３メートルまで、機器１Ａ，１Ｂ間の通話に影響が無く、また、電波干渉源が無線ＬＡＮの場合には、Ｌｎ＝０．５メートルまで、機器１Ａ，１Ｂ間の通話に影響が無いことが確かめられた。
【００６９】
また、図６に示すように、２台のＢｌｕｅｔｏｏｔｈ機器１Ａ，１Ｂに、この実施形態の情報通信方法を採用した場合において、Ｂｌｕｅｔｏｏｔｈ機器１Ｂと電波干渉源との距離を１メートルに固定したときに、干渉ノイズの影響を受けることなく通話ができる前記２台のＢｌｕｅｔｏｏｔｈ機器１Ａ，１Ｂ間の距離Ｌｓを測定したところ、次のような結果になった。
【００７０】
すなわち、電波干渉源が、他のＢｌｕｅｔｏｏｔｈ機器および無線ＬＡＮのいずれの場合にも、Ｌｓ＝２５メートルまで、機器１Ａ，１Ｂ間の通話に影響が無いことが確かめられた。そして、このとき、Ｂｌｕｅｔｏｏｔｈプロトコルアナライザによって、パケットエラー発生時には、再送期間以内に再送が完了していることが確認された。
【００７１】
なお、以上の実施形態では、ＤＭ３パケットを用い、音声バッファリングサイズを１２０バイトとしたが、図５の表に示したように、ＡＣＬリンクにおける他のタイプのパケット、また、音声バッファリングサイズであっても、効果上の差異はあるものの、従来のＳＣＯリンクを用いる音声データ伝送による通話の場合に比べて、良好な音声通話が実現されるものであることは言うまでもない。
【００７２】
また、以上の実施形態は、時系列情報を音声情報としたコードレス電話の場合について説明したが、動画情報の等時性通信の場合にも、この発明が適用できることは勿論である。
【００７３】
【発明の効果】
以上説明したように、この発明によれば、電波干渉の問題がある使用環境においても、音声情報などの時系列情報の等時性通信が、Ｂｌｕｅｔｏｏｔｈを用いて実現することができるという効果がある。
【図面の簡単な説明】
【図１】この発明による情報通信装置の実施形態のブロック図である。
【図２】実施形態の情報通信装置が使用されるシステム例を示す図である。
【図３】実施形態の情報通信装置による通信状況を説明するための図である。
【図４】ＢｌｕｅｔｏｏｔｈのＡＣＬリンクで用いられるパケットタイプを説明するための図である。
【図５】実施形態の情報通信装置を説明するための図である。
【図６】実施形態の情報通信装置の効果を説明するための図である。
【図７】Ｂｌｕｅｔｏｏｔｈ通信における電波干渉の例を説明するための図である。
【図８】Ｂｌｕｅｔｏｏｔｈ通信における電波干渉の例を説明するための図である。
【図９】ＳＣＯリンクを用いた場合におけるＢｌｕｅｔｏｏｔｈ通信における電波干渉の影響を説明するための図である。
【図１０】Ｂｌｕｅｔｏｏｔｈモジュールの電波干渉に対する耐力を説明するための図である。
【符号の説明】
２１０  音声データ処理部
２２０  Ｂｌｕｅｔｏｏｔｈ用の無線モジュール
【図１】
2004274292.tif 000003
【図２】
2004274292.tif 000004
【図３】
2004274292.tif 000005
【図４】
2004274292.tif 000006
【図５】
2004274292.tif 000007
【図６】
2004274292.tif 000008
【図７】
2004274292.tif 000009
【図８】
2004274292.tif 000010
【図９】
2004274292.tif 000011
【図１０】
2004274292.tif 000012